(57)【要約】      （修正有）【課題】衛生用具に関し、特に使用者の手の指を覆う指用コンドームを提供する。【解決手段】指用コンドームは、開放端、閉塞端、および潤滑された内外表面を有し、使用前には人の一本の指よりも小さな容積を画定する柔軟な指用コンドーム本体、および当該柔軟な指用コンドーム本体の解放端周囲の周りに延伸する弾力のあるバンドであって、使用者の片手の指に対してこの柔軟な指用コンドーム本体をしっかり動かないようにするためのバンド、を備える。【選択図】図１
0003146957.tif 000002
【実用新案登録請求の範囲】
【請求項１】
柔軟な指用コンドーム本体（１０）であって、前記柔軟な指用コンドーム本体は開放端（１１）および閉塞端（１２）を有し、かつ使用前に人の一本の指よりも小さな容積を画定し、前記開放端は人の指（３１）を前記柔軟な指用コンドーム本体に挿入するためのものである、指用コンドーム本体；
および
前記指用コンドーム本体の前記開放端周辺の周りに延伸する弾力の有るバンド（２０）であって、使用者の片手の指に対して前記指用コンドーム本体をしっかりと動かないようにするためのバンド；
を備えた指用コンドーム。
【請求項２】
請求項１に記載の指用コンドームであって、前記指用コンドーム本体は、その外表面から突出した複数の粒状物（１３）を備えた、指用コンドーム。
【請求項３】
請求項１に記載の指用コンドームであって、前記指用コンドーム本体はポリウレタンよりなり、内表面および外表面がそれぞれ潤滑されている、指用コンドーム。
【請求項４】
請求項１に記載の指用コンドームであって、前記指用コンドーム本体は、使用者の片手の二本の指上に装着可能である、指用コンドーム。
【考案の詳細な説明】
【技術分野】
【０００１】
本考案は衛生用具に関し、特に使用者の手の指を覆う指用コンドームに関する。
【背景技術】
【０００２】（公序良俗違反につき、不掲載）【０００３】（公序良俗違反につき、不掲載）【０００４】（公序良俗違反につき、不掲載）
【考案の開示】
【考案が解決しようとする課題】
【０００５】
本考案はこのような状況に鑑みて達成された。本考案によれば、指用コンドームは柔軟な指用コンドーム本体と弾力のあるバンドを備える。柔軟な指用コンドーム本体は、開放端、閉塞端、および潤滑された内部および外部表面を有する。柔軟な指用コンドーム本体は、使用前に人の指一本よりも小さな容積を画定する。弾力の有るバンドは、指用コンドーム本体が使用者の片手の指にしっかりと動かないようにされるために、柔軟な指用コンドーム本体の開放端周囲の周りに延伸する。
【課題を解決するための手段】
【０００６】
指用コンドームを使用する場合には、柔軟な指用コンドーム本体は使用者の片手の指に装着され、指の表面を囲み病気の感染および伝染を防止する。
【０００７】
さらに、指用コンドームは、柔軟な指用コンドーム本体が使用者の片手のどの指が選択されても装着が出来るように柔軟な材料で形成される。また、柔軟な指用コンドーム本体は、二本の指を覆って使用するようにデザインされることも可能である。
【０００８】（公序良俗違反につき、不掲載）
【実施例】
【０００９】
図１を参照して、本考案に係る本体１０および弾力の有るバンド２０を備えた指用コンドームが示されている。
【００１０】
本体１０は例えばゴム、ポリウレタン、またはラテックスのような柔軟な材料で形成され、それらの内外表面は潤滑されている。図２に示されているように、本体１０は使用されていない場合に人の一本の指３１よりも小さな容積を画定し、従って本体１０は指３１に装着された時にはしっかりと定位置に動かないようにする事が出来る（図３参照）。本体１０は開放端１１および閉塞端１２を有する。開放端１１は人の指の本体１０への挿入を可能にする。弾力の有るバンド２０は該開放端１１の周囲の周りに延伸し、指用コンドームを装着した指に束縛力を与えて、指用コンドームが指から落ちないようにする。
【００１１】（公序良俗違反につき、不掲載）【００１２】
さらに、使用しないときには図５に示されるように、本体１０は巻き上げられて弾力のあるバンド２０内に収容されスペースの節約になる。
【００１３】  （公序良俗違反につき、不掲載）【００１４】
本考案の特定の実施形態が、例証を目的に詳細に説明されてきたが、本考案の精神および範囲から逸脱することなく様々な修正および改善が可能である。従って、本考案は付属する請求項による場合を除いて、制限されるべきものではない。
【図面の簡単な説明】
【００１５】
【図１】本考案に係る指用コンドームの斜視図である。
【図２】当該指用コンドームの使用前における本考案の概略図である。
【図３】図２に対応して使用者の片手の一本の指に装着された指用コンドームを示す図である。
【図４】使用者の片手の二本の指に装着された指用コンドームを示す本考案の概略図である。
【図５】使用前の当該指用コンドーム収容状態を示す本考案の概略図である。
【図６】本考案に係る指用コンドームの代替形態の斜視図である。
【符号の説明】
【００１６】
１０：本体
２０：弾力の有るバンド
３１：指
１１：開放端
１２：閉塞端
３０：使用者の片手
１３：粒状物
【図１】
0003146957.tif 000003
【図２】
0003146957.tif 000004
【図３】
0003146957.tif 000005
【図４】
0003146957.tif 000006
【図５】
0003146957.tif 000007
【図６】
0003146957.tif 000008
【手続補正書】
【提出日】平成20年10月3日(2008.10.3)
【手続補正１】
【補正対象書類名】実用新案登録請求の範囲
【補正対象項目名】全文
【補正方法】変更
【補正の内容】
【実用新案登録請求の範囲】
【請求項１】
柔軟な指用コンドーム本体（１０）であって、前記柔軟な指用コンドーム本体は開放端（１１）および閉塞端（１２）を有し、かつ使用前に人の一本の指よりも小さな容積を画定し、前記開放端は人の指（３１）を前記柔軟な指用コンドーム本体に挿入するためのものである、指用コンドーム本体；
および
前記指用コンドーム本体の前記開放端周辺の周りに延伸する弾力の有るバンド（２０）であって、使用者の片手の指に対して前記指用コンドーム本体をしっかりと動かないようにするためのバンド；
を備えた指用コンドーム。
【請求項２】
請求項１に記載の指用コンドームであって、前記指用コンドーム本体は、その外表面から突出した複数の粒状物を備えた、指用コンドーム。
【請求項３】
請求項１に記載の指用コンドームであって、前記指用コンドーム本体はポリウレタンよりなり、内表面および外表面がそれぞれ潤滑されている、指用コンドーム。
【請求項４】
請求項１に記載の指用コンドームであって、前記指用コンドーム本体は、使用者の片手の二本の指上に装着可能である、指用コンドーム。
【手続補正２】
【補正対象書類名】明細書
【補正対象項目名】全文
【補正方法】変更
【補正の内容】
【考案の詳細な説明】
【技術分野】
【０００１】
本考案は衛生用具に関し、特に使用者の手の指を覆う指用コンドームに関する。
【背景技術】
【０００２】
コンドームは病気（例えばＡＩＤＳのような）の感染および伝染を防止するための最も重要な衛生用具の一つである。一般的にコンドームは開放端と閉塞端を有する。さらにコンドームは外表面上に粒状物を有していても良く、あるいは振動用のモーターを備えていても良い。米国特許第６，９８３，７５１号は、壁部、閉塞端、および開放端を有する本体を含む改良されたコンドームを開示している。このコンドームの壁部は内表面および外表面を有する。
【０００３】
しかしながら、通常のコンドームは勃起したペニスを覆うために使用される。従来のコンドームは指に装着されるには緩過ぎる。女性の膣または肛門に直接指または複数の指を挿入する場合に、指または複数の指は膣または肛門を感染に至らせる可能性がある。さらに、女性の膣または肛門に指を挿入するときに、指の堅い爪は膣にまたは肛門に不快感をもたらす可能性がある。
【特許文献１】米国特許第６，９８３，７５１号
【考案の開示】
【考案が解決しようとする課題】
【０００４】
本考案はこのような状況に鑑みて達成された。本考案によれば、指用コンドームは柔軟な指用コンドーム本体と弾力のあるバンドを備える。柔軟な指用コンドーム本体は、開放端、閉塞端、および潤滑された内部および外部表面を有する。柔軟な指用コンドーム本体は、使用前に人の指一本よりも小さな容積を画定する。弾力の有るバンドは、指用コンドーム本体が使用者の片手の指にしっかりと動かないようにされるために、柔軟な指用コンドーム本体の開放端周囲の周りに延伸する。
【課題を解決するための手段】
【０００５】
指用コンドームを使用する場合には、柔軟な指用コンドーム本体は使用者の片手の指に装着され、指の表面を囲み病気の感染および伝染を防止する。
【０００６】
さらに、指用コンドームは、柔軟な指用コンドーム本体が使用者の片手のどの指が選択されても装着が出来るように柔軟な材料で形成される。また、柔軟な指用コンドーム本体は、二本の指を覆って使用するようにデザインされることも可能である。
【０００７】
さらに、柔軟な指用コンドーム本体の外表面に粒状物が形成されてよい。
【実施例】
【０００８】
図１を参照して、本考案に係る本体１０および弾力の有るバンド２０を備えた指用コンドームが示されている。
【０００９】
本体１０は例えばゴム、ポリウレタン、またはラテックスのような柔軟な材料で形成され、それらの内外表面は潤滑されている。図２に示されているように、本体１０は使用されていない場合に人の一本の指３１よりも小さな容積を画定し、従って本体１０は指３１に装着された時にはしっかりと定位置に動かないようにする事が出来る（図３参照）。本体１０は開放端１１および閉塞端１２を有する。開放端１１は人の指の本体１０への挿入を可能にする。弾力の有るバンド２０は該開放端１１の周囲の周りに延伸し、指用コンドームを装着した指に束縛力を与えて、指用コンドームが指から落ちないようにする。
【００１０】
使用中には、図２および３に示されるように本体１０は指に装着される。本体１０は柔軟な材料から形成されているので、使用者は、使用者の片手３０の一本の指３１に本体１０を選択的に装着できる。さらに、本体１０は図４に示されるように、二本の指３１を覆うべく設計されても良い。使用者が、指用コンドームを装着した指または複数の指を女性の膣または肛門に挿入するときに、指は指用コンドームによってしっかり防御され、病気の感染および伝染を防ぐ。
【００１１】
さらに、使用しないときには図５に示されるように、本体１０は巻き上げられて弾力のあるバンド２０内に収容されスペースの節約になる。
【００１２】
なお、粒状物は本体１０の外表面に形成されることも可能である。
【００１３】
本考案の特定の実施形態が、例証を目的に詳細に説明されてきたが、本考案の精神および範囲から逸脱することなく様々な修正および改善が可能である。従って、本考案は付属する請求項による場合を除いて、制限されるべきものではない。
【図面の簡単な説明】
【００１４】
【図１】本考案に係る指用コンドームの斜視図である。
【図２】当該指用コンドームの使用前における本考案の概略図である。
【図３】図２に対応して使用者の片手の一本の指に装着された指用コンドームを示す図である。
【図４】使用者の片手の二本の指に装着された指用コンドームを示す本考案の概略図である。
【図５】使用前の当該指用コンドーム収容状態を示す本考案の概略図である。
【符号の説明】
【００１５】
１０：本体
２０：弾力の有るバンド
３１：指
１１：開放端
１２：閉塞端
３０：使用者の片手
【手続補正３】
【補正対象書類名】図面
【補正対象項目名】図６
【補正方法】削除
【補正の内容】